(57)【特許請求の範囲】
【請求項１】
表示パネルとその照明を行う照明パネルを枠体によって一定間隔に保持した表示ユニットを、保護カバーユニットによって覆った表示装置において、前記枠体を柔軟性のある部材で構成するとともに、前記表示パネルと前記照明パネルを一定間隔に保持するためのフランジ部を形成し、枠体の上部に前記保護カバーユニットとの間隔を埋めるように前記フランジ部より硬度の小さい突起部を一体に形成したことを特徴とする表示装置。
【請求項２】
前記突起部は、枠体の幅よりも狭い幅に形成されていることを特徴とする請求項1記載の表示装置。
【請求項３】
前記突起部は、枠体の幅よりも狭い幅に形成されているとともに、外方に向かって傾斜していることを特徴とする請求項1記載の表示装置。
【請求項４】
前記表示ユニットは、その裏側に配置した裏カバーとその表側に配置した前記保護カバーユニットによって挟まれていることを特徴とする請求項１から３のいずれかに記載の表示装置。
【請求項５】
前記表示ユニットは、表示パネルの上側に前記照明パネルを配置したことを特徴とする請求項１から４のいずれかに記載の表示装置。
【請求項６】
前記保護カバーユニットは、中央に開口を有する上面枠とその開口を塞ぐように配置した透光性のカバーによって構成したことを特徴とする請求項１から５のいずれかに記載の表示装置。
【請求項７】
裏カバーの上に反射型の表示パネルを配置し、このパネルの上に柔軟性のある枠体を介して照明パネルを配置し、前記照明パネルの上に前記枠体を介して保護カバーユニットを配置し、前記表示パネルと前記照明パネル間の空間及び前記照明パネルと保護カバーユニット間の空間を前記共通の枠体によって密閉状態にしたことを特徴とする表示装置。
【請求項８】
前記表示パネル、照明パネル、枠体を収納するケースを形成するように、前記裏カバーと前記保護カバーユニットを係合し、その係合個所に沿って両者の隙間を塞ぐように被覆材を設けたことを特徴とする請求項7記載の表示装置。
【発明の詳細な説明】
【０００１】
【発明の属する技術分野】
本発明は、液晶表示装置に代表される薄型の表示装置に係り、特に、上面に保護カバーユニットを含む防塵構造を有した表示装置に関する。
【０００２】
【従来の技術】
従来の液晶表示装置（例えば特開平９−３１８９５２号公報参照）は、液晶表示パネルとバックライトの間に塵埃が侵入するのを防止するために、リング状のスペーサを両者の間に配置している。また、液晶表示パネルとその金属製ケースとの間にも、同様のスペーサを配置している。
【０００３】
【発明が解決しようとする課題】
従来は、液晶パネルの上下に別々にスペーサを配置しているので、その取り付けのための工程も増加するなどの問題が有った。
【０００４】
そこで本発明は、防塵効果を高めた表示装置を提供することを課題の１つとする。また、構成が簡単で組立作業性が良い表示装置を提供することを課題の1つとする。
【０００５】
【課題を解決するための手段】
本発明の表示装置は、表示パネルとその照明を行う照明パネルを枠体によって一定間隔に保持した表示ユニットを、保護カバーユニットによって覆った表示装置において、前記枠体を柔軟性のある部材で構成するとともに、前記表示パネルと前記照明パネルを一定間隔に保持するためのフランジ部を形成し、枠体の上部に前記保護カバーユニットとの間隔を埋めるように前記フランジ部より硬度の小さい突起部を一体に形成したことを特徴とする。
【０００６】
前記突起部は、枠体の幅よりも狭い幅に形成することができる。また、前記突起部は、外方に向かって傾斜することができる。
【０００７】
前記表示ユニットは、その裏側に配置した裏カバーとその表側に配置した前記保護カバーユニットによって挟まれたものとすることができる。また、前記表示ユニットは、表示パネルの上側に前記照明パネルを配置した構成とすることができる。
【０００８】
前記保護カバーユニットは、中央に開口を有する上面枠とその開口を塞ぐように配置した透光性のカバーによって構成することができる。
【０００９】
本発明の表示装置は、裏カバーの上に反射型の表示パネルを配置し、このパネルの上に柔軟性のある枠体を介して照明パネルを配置し、前記照明パネルの上に前記枠体を介して保護カバーユニットを配置し、前記表示パネルと前記照明パネル間の空間及び前記照明パネルと保護カバーユニット間の空間を前記共通の枠体によって密閉状態にしたことを特徴とする。
【００１０】
また、前記表示パネル、照明パネル、枠体を収納するケースを形成するように、前記裏カバーと前記保護カバーユニットを係合し、その係合個所に沿って両者の隙間を塞ぐように被覆材を設けることができる。
【００１１】
【発明の実施の形態】
以下本発明の実施形態に付いて図面を参照して説明する。図１〜図３は、第１の実施形態を示す。
【００１２】
表示装置１は、表示ユニット２の上面を保護カバーのユニット３によって覆った構成としている。表示ユニット２は、表示パネル４とその照明を行なう照明パネル５を枠体６によって一定の間隔を保って保持した構成としている。表示ユニット２は、その裏面を裏カバー７によって覆うことが好ましい。裏カバー７は、板金加工によって折り曲げ加工された金属製のカバーによって構成しているが、その他の構成を採用することもできる。
【００１３】
保護カバーのユニット３は、中央に開口８を有する金属製の上面枠９と、前記開口８を塞ぐようにこの上面枠９に両面接着テープなどの接着部材によって固定した透光性の保護カバー１０によって構成している。この保護カバー１０は、表示装置と一体化された入力装置を構成するように、接触式あるいは非接触式の入力パネルで構成している。従って、この例では、上面枠９の上面に固定されたこの入力パネルが保護カバーを兼ねることにより、構成の簡素化を図っているが、保護カバー１０は、これ以外の別の構成を採用することもできる。
【００１４】
表示ユニット２を構成する表示パネル４は、例えば反射型の液晶パネルによって構成し、その上側に照明パネル５を配置している。照明パネル５は、表示パネル４の全面を覆う構成のものを採用することができ、この場合は、透光性の高い導光板の側面に光源を配置したエッジライト式の面照明装置を用いることが望ましい。すなわち、光源や反射板は枠体６の上部に配置し、透光性で平板状の導光板が表示パネル４を覆うようにすることで、表示パネル４の表示が照明パネル５によって受ける遮光などの問題を最小限に抑えることができる。照明パネル５の構成は、これ以外の構成を採用することもできる。
【００１５】
表示ユニット２が上述したフロントライト式とは相違して、バックライト式の場合は、照明パネル５の上に枠体６を介在して透過型の表示パネル４を配置することにより、表示ユニット２を構成することができる。
【００１６】
枠体６は、所定の硬度と柔軟性を併せ持つ部材、例えばシリコーンなどのケイ素樹脂やそれに類する樹脂やゴム、例えばエラストマーなどを用いて形成された弾性部材によって構成している。そして枠体６は、表示パネル４と照明パネル５を一定の位置関係を保って位置決めするように、表示パネル４と照明パネル５の外周部を取り囲んでいるとともに、表示パネル４と照明パネル５の間隔を一定に保つように、両者の間に挿入されるフランジ部１１を有している。このフランジ部１１は、柔軟性があるので、従来の硬質樹脂製の枠体に比べて、表示パネル４と照明パネル５の間の空間を容易に密閉状態にすることができる。
【００１７】
枠体６の上部には、表示ユニット２と保護カバーユニット３の間に形成される空間と外部空間と結ぶ隙間（塵埃の通路）を塞ぐように、表示ユニット２の上面よりも上方位置まで突出した突起部１２を一体に形成している。この突起部１２は、保護カバーユニット３との密着性を高めるために、硬度が小さく弾性変形が容易な部材を利用して構成している。すなわち、枠体６を、その外形を維持するに必要な硬度を有する硬度の大きな部材（例えば硬度が６０〜２００度、好ましくは７０〜１００度）と、その上に硬度の小さな部材（例えば硬度が５〜６０度、好ましくは１０〜２０度）を一体に積層した複層構造とし、その硬度の小さな部材に突起を形成している。この突起部１２は、上面枠９によって覆われる位置に配置され、上面枠９の裏面に密着して表示ユニット２と保護カバーユニット３の間の不必要な隙間を塞いでいる。
【００１８】
そして、この突起部１２が外部から侵入する塵埃を遮断する防御壁として機能するので、表示ユニット２と保護カバーユニット3に外部から塵埃が侵入するのを防止するための別部品を設ける必要がなくなる。
【００１９】
突起部１２は、表示ユニット２を囲むように、表示ユニットの４つの外周辺に対応して配置するのが最も好ましいが、表示ユニット２と保護カバーユニット３間の空間と外部が連絡する隙間の発生個所に応じて、その隙間を埋めるように、表示ユニット２の所定の外周辺に対応して選択的に配置することもできる。
【００２０】
次に、この表示装置１の組立てに付いて説明する。まず、表示パネル２にその上から枠体６を装着し、その状態で裏カバー７に表示パネル４と枠体６を装着する。枠体６はその下部周縁が表示パネル４の側面と裏カバー７の側面との間に位置するように配置され、その部分が両者の緩衝材として機能する。
【００２１】
次に、照明パネル５を枠体６のフランジ部１１の上に配置する。次に、予め組み立てておいた保護カバーユニット３を装着する。保護カバーユニット３の上面枠９には、その側面の適所に係止用の爪が複数形成され、これを裏カバー７の係止部に係止して保護カバーユニット３が固定される。裏カバー７を必要としない場合は、係止用の爪を、枠体６の一部に係止しても良い。
【００２２】
このようにして裏カバー７と保護カバーユニット３からなるケースの中に、表示パネル４、照明パネル５、枠体６が配置されて表示装置が組み立てられるが、表示パネル４と照明パネル５の間の空間は、柔軟性のある枠体６のフランジ部分１１によって密閉状態に保持され、表示ユニット２と保護カバーユニット３の間の空間は、より柔軟性のある突起によって密閉状態に保持される。
【００２３】
保護カバーユニット２と裏カバー７によって構成されるケースの内側は、前記1つの枠体６を共通に利用して防塵されるが、ケースの外側にも防塵構造を配置して二重の防塵構造を採用してもよい。ケース外側の防塵構造としては、前記裏カバー７と前記保護カバーユニットの係合個所に沿って両者の隙間を塞ぐように薄膜テープなどの被覆材１３を設けた構成とすることができる。被覆材１３は、ケース全周の係合個所に沿って設けるのが最も好ましいが、隙間の発生状況に応じて所定の辺や、辺の一部のみに選択的に形成することもできる。
【００２４】
次に、図４〜６を参照して、第２の実施形態を説明する。第１の実施形態における構成要素と同一の機能を果たす部分には、同一の符号を付している。第１の実施形態と大きく相違する点は、枠体６の構成である。
【００２５】
先の実施形態では、枠体６の上面形状と突起部１２の上面形状が実質的に同一であったが、本実施形態では、突起部１４の弾性変形を容易にするために、突起部１４の断面をより細くして、突起部１４の上面形状を線に近い形状としている。そのため、この突起部１４は、その幅が枠体６の幅よりもかなり狭く設定されているとともに、その断面形状が縦長の半円形状になるように形成されている。突起部１４自身が弾性を持つ形状に形成されているので、突起部１４は、枠体６と同じ硬度の部材で形成しているが、先の実施形態と同様に、硬度がより小さな部材を利用して突起部を形成することもできる。また、突起部１４の断面形状は、三角形状にしても良い。その他の構成は、先の実施形態と同様の構成を採用することができる。
【００２６】
次に、図７〜９を参照して、第３の実施形態を説明する。先の実施形態における構成要素と同一の機能を果たす部分には、同一の符号を付している。先の実施形態と大きく相違する点は、枠体６の構成である。
【００２７】
先の実施形態では、突起部１４を枠体６の上面に垂直に形成していたが、本実施形態では、突起部の弾性変形をより容易にしかもカバーユニット３との密着性を高めるために、突起部１５を枠体６の上面から斜め外側に向かって広がるような傾斜を持つ形状にしている。そのため、この突起部１５は、その幅が枠体６の幅よりもかなり狭く設定されているとともに、枠体６の上面と成す角度が９０度よりも大きくなるように、好ましくは１１０度から１６０度の範囲、さらに好ましくは、１３０度から１５０度の範囲の鈍角となるように形成されている。
【００２８】
このようにすることにより。突起部１５は、外部の空気に比べて内部の空気の方を出しやすい逆止弁のような機能を果たすことができ、防塵効果を高めることができる。さらに、厚さが０．２〜０，３ｍｍ程度と薄い上面枠９に与える応力を、第2実施形態の突起部１４に比べて低減することができる。
【００２９】
突起部１５の根元部分は、枠体６の側面よりも内側に位置し、突起部１５の根元部分と枠体６の側面の間には、突起部１５の屈曲を容易にするための切り欠き１６を形成している。突起部１５自身が弾性を持つ形状に形成されているので、突起部１５は枠体６と同じ部材で形成しているが、第１の実施形態と同様に、硬度がより小さな部材を利用して突起部を形成することもできる。また、突起の断面形状は、三角形状等その他の形状にしても良い。その他の構成は、先の実施形態と同様の構成を採用することができる。
【００３０】
【発明の効果】
以上のように本発明によれば、防塵効果を高めた表示装置を提供することができる。また、部品点数と組立て工数が少なく、組み立てやすい表示装置を提供することができる。
【図面の簡単な説明】
【図１】本発明の表示装置の第１の実施形態を示す分解斜視図である。
【図２】図１のＡで示す部分の拡大図である。
【図３】図１のＢ−Ｂで示す位置に沿った断面図である。
【図４】本発明の表示装置の第２の実施形態を示す分解斜視図である。
【図５】図４のＡで示す部分の拡大図である。
【図６】図４のＢ−Ｂで示す位置に沿った断面図である。
【図７】本発明の表示装置の第３の実施形態を示す分解斜視図である。
【図８】図７のＡで示す部分の拡大図である。
【図９】図７のＢ−Ｂで示す位置に沿った断面図である。
【符号の説明】
１  表示装置
２  表示ユニット
３  保護カバーユニット
４  表示ユニット
５  照明パネル
６  枠体
１２  突起部
【図１】
0004042353.tif 000002
【図２】
0004042353.tif 000003
【図３】
0004042353.tif 000004
【図４】
0004042353.tif 000005
【図５】
0004042353.tif 000006
【図６】
0004042353.tif 000007
【図７】
0004042353.tif 000008
【図８】
0004042353.tif 000009
【図９】
0004042353.tif 000010